(57)【要約】【課題】  耐震性能に極めて優れたドアガードを提供する。【解決手段】  扉枠Ｂに取り付けられるアーム係止具４と扉Ａに略水平方向に回動するように取り付けられるアーム３とを具備し、通常位置からアーム係止具４側に所定角度回動したガード位置にアーム３をセットした状態で開扉した際、アーム係止具４の係止爪４１は通常位置への復帰を阻止すべくアーム３を係止しながらアーム先端側に向けて相対移動し且つ、アーム３のストッパ部３４に係止爪４１が当接することによりそれ以上の開扉が阻止される。閉扉状態でアーム３をガード位置にセットした際にアーム係止具４とアーム３とが上下に重合しないように、アーム３の基端部側はガード位置においてアーム係止具４を扉Ａの開閉中心側に回避するように形成されている。【選択図】      図６
2004278296.tif 000002
【特許請求の範囲】
【請求項１】
扉枠等の建物の固定部材と扉のうちの一方に取り付けられるアーム係止具と他方に略水平方向に回動するように取り付けられるアームとを具備し、通常位置からアーム係止具側に所定角度回動したガード位置にアームをセットした状態で開扉した際、アーム係止具は通常位置への復帰を阻止すべくアームを係止しながらアーム先端側に向けて相対移動し且つ、アームのストッパ部にアーム係止具が当接することによりそれ以上の開扉が阻止されるように構成されたドアガードにおいて、閉扉状態でアームをガード位置にセットした際にアーム係止具とアームとが上下に重合しないように、アームの基端部側はガード位置においてアーム係止具を回避するように構成されていることを特徴とするドアガード。
【発明の詳細な説明】
【技術分野】
【０００１】
本発明は、開扉を所定角度に制限して無用の人の不法侵入を阻止することができるドアガードに関する。
【背景技術】
【０００２】
この種ドアガードは、略水平方向に回動するようにその基端部が扉内面に取り付けられるアームと、該アームを係止すべく扉枠に取り付けられるアーム係止具とを備えている。アームは、全体として略Ｕ字状に形成されることによりその上下方向略中央には長手方向に沿ってスリットが延設され、その折曲側が先端側になり開口側が基端側となるようにして扉内面に軸支される。また、アーム係止具は、頭部が膨大した係止突起を有しており、該頭部が挿入できるように、アームの上下両腕部はその基端部において部分的に上下に更に離間して、アームの基端部には、スリットと連通しスリットよりも幅広の導入口が形成されている。
【０００３】
そして、扉内面に略沿った通常位置からアームを扉枠側に向けて所定角度起立させてガード位置とすると、扉枠から扉側に向けて、即ち、扉が設置される扉枠の開口部内方に向けて略水平に突出した状態にあるアーム係止具の係止突起が、アームの導入口に挿入される。即ち、アームの上下両腕部間に係止突起が位置して、アームと係止突起とは上下に重合した状態となる。
【０００４】
かかるガード位置にアームをセットした後に開扉すると、係止突起は導入口からスリットへと進入してスリット内をアーム先端側へと相対移動する。係止突起がスリット内に進入すると、その頭部がアームの上下両腕部を内側から係止してその通常位置への復帰を阻止する。そして、扉が所定角度まで開くと、係止突起がアームの先端部（ストッパ部）に当接し、それにより、その角度以上の開扉が阻止される。
【０００５】
ところで、このようなドアガードには近年耐震性能が要求されている。具体的には、万一地震が発生して扉枠が斜め等に変形すると、アーム係止具とアームとに上下方向の位置ずれが生じる。従って、部屋内の人がアームをガード位置にセットした状態で地震が発生すると、導入口に挿入された係止突起とアームとがこじれてアームを通常位置に復帰させることができなくなって避難等が不可能になるおそれがある。
【０００６】
そのため耐震性能を向上させた耐震型のドアガードもあり、その構成としては、アームの基端部を更に上下に離間させて導入口を通常型よりも大きくして係止突起との間の遊びを大きくしたものや、係止突起を上下可動式にしたものが存在する（下記特許文献１，２参照）。
【０００７】
【特許文献１】登録実用新案第３０２７９５１号公報
【特許文献２】特開平９−２９１７４２号公報
【発明の開示】
【発明が解決しようとする課題】
【０００８】
しかしながら、前者の場合には、アーム形状が大きくならざるを得ずコンパクト化の要請に反し、後者の場合には構造が複雑化する。しかも、前者の場合も後者の場合も共に、所定の許容値以上の位置ずれが生じた場合には、何れにしてもアーム係止具とアームとが互いに食い込んで離れなくなる。
【０００９】
それゆえに本発明は上記従来の問題点に鑑みてなされ、耐震性能に極めて優れたドアガードを提供することを課題とする。
【課題を解決するための手段】
【００１０】
本発明は、上記課題を解決すべくなされたものであり、本発明に係るドアガードは、扉枠等の建物の固定部材と扉のうちの一方に取り付けられるアーム係止具と他方に略水平方向に回動するように取り付けられるアームとを具備し、通常位置からアーム係止具側に所定角度回動したガード位置にアームをセットした状態で開扉した際、アーム係止具は通常位置への復帰を阻止すべくアームを係止しながらアーム先端側に向けて相対移動し且つ、アームのストッパ部にアーム係止具が当接することによりそれ以上の開扉が阻止されるように構成されたドアガードにおいて、閉扉状態でアームをガード位置にセットした際にアーム係止具とアームとが上下に重合しないように、アームの基端部側はガード位置においてアーム係止具を回避するように構成されていることを特徴とする。
尚、通常位置とは、ドアガードを使用しない施錠解除時の状態であればよく、ガード位置とはドアガードを使用する施錠時の状態をいうものとする。また、建物の固定部材には、いわゆる子扉も含まれる。
【発明の効果】
【００１１】
以上のように、本発明に係るドアガードにあっては、閉扉時のガード位置においてアームとアーム係止具とが上下に重合しないので、地震等により扉枠と扉とが上下に位置ずれしても、アームとアーム係止具とが互いに噛み合って外れなくなるということがない。また、従来のようにアーム係止具の構造が複雑となったりアームが大型化するということもなく、ドアガードの構造の簡素化とコンパクト化が容易である。
【発明を実施するための最良の形態】
【００１２】
以下、本発明に係るドアガードの一実施形態について図１乃至図６を参酌しつつ説明する。
本実施形態におけるドアガードは、上下方向に伸びる係止爪を有し、扉枠に取り付けられるアーム係止具と、扉の内面に略水平方向に回動するようにその基端部が取り付けられるアームとを具備し、アーム係止具の係止爪に向けて扉の内面から所定角度起立したガード位置にアームをセットした状態で開扉した際、アーム係止具の係止突起はアームのガード位置からの戻り回動を阻止すべくアームを係止しながらアーム先端側に相対移動し且つ、アーム先端側のストッパ部に係止爪が当接することによりそれ以上の開扉を阻止するように構成されたものである。以下詳細に説明する。
【００１３】
このドアガードは、就寝時等における防犯等のために使用されるもので、図１乃至図５に示すように、扉Ａの内面Ａ１にネジ止めされるアーム基台１と、該アーム基台１に回転可能に支持された支軸２と、該支軸２にその基端部が一体的に取り付けられ、支軸２を中心に回動するアーム３と、該アーム３を係止するために扉枠Ｂにネジ止めされるアーム係止具４とを備えている。尚、アーム基台１は、扉Ａの開閉中心側とは反対側の側端部の内面側に取り付けられ、アーム係止具４は、そのアーム基台１に対応した扉枠Ｂの箇所に取り付けられる。
【００１４】
アーム基台１は、扉Ａに取り付けるための略板状のベース部１０と、該ベース部１０の表面側に突設された上下一対の軸受け部１１とを備えている。前記ベース部１０には、合計三箇所の取付孔１２が形成されていて、この取付孔１２によりアーム基台１は扉Ａの内面Ａ１（室内側）にネジ止めされる。尚、三箇所の取付孔１２のうち、上下二箇所の取付孔１２ａ，１２ｃは軸受け部１１の上側と下側にそれぞれ位置するが、中央の取付孔１２ｂは上下両軸受け部１１の間に位置している。従って、アーム３をガード位置にセットした状態においては、アーム３が中央の取付孔１２ｂの外側に位置するので、その中央の取付孔１２ｂからネジ１００を工具等により外すことはできない。
【００１５】
また、前記軸受け部１１は、ベース部１０に対して略直交するように、即ち、取り付け状態において略水平に突設されている。また、両軸受け部１１間には所定寸法の空隙が形成され、該空隙に前記アーム３の基端部が挿入される。両軸受け部１１には、それぞれ前記支軸２の両端部を支持するための孔が形成されているが、取り付け状態を基準として上側の軸受け部１１ａには上下に貫通した孔が形成されている一方、下側の軸受け部１１ｂには非貫通の孔が形成されている。そして、両軸受け部１１間の空隙にアーム３の基端部を挿入した状態で、一端部に大径のヘッド部２１（図２（イ）参照）を有する前記支軸２を上側の軸受け部１１ａ側から下側の軸受け部１１ｂに向けて挿着すると、支軸２はアーム３を上下に貫通する。
また、支軸２の外周面には、軸線方向に沿って溝２２が形成され、アーム３の基端部には支軸２を挿通するための貫通孔が形成されている。その貫通孔の壁面には、支軸２の溝２２と凹凸係合する凸部（図示省略）が形成されている。従って、支軸２をアーム３に挿通させることにより、支軸２の溝２２にアーム３の凸部が凹凸係合し、両者の相対回転は不能となって一体となって回動する。
尚、支軸２とアーム３とを一体とする手段は他の手段であってもよく、例えば、ネジによって支軸２とアーム３とを一体としてもよい。
【００１６】
尚、支軸２の上方への抜けは、上側の軸受け部１１ａと前記アーム３との間に位置する止め輪（Ｅ型止め輪）２３により防止される。また、支軸２は、扉Ａの回転軸（開閉中心軸）と略平行、即ち、上下方向の軸線を有し、従って、アーム３（及び支軸２）は上下方向の軸線まわりに略水平方向に回動する。
【００１７】
一方、このようなアーム３を所定の回動位置に一旦停止、保持させるための機構が設けられている。即ち、前記アーム基台１には、支軸２の外周面に向けてコイルバネ１３により付勢された鋼球１４が内蔵されている。尚、付勢手段はコイルバネ１３には無論限定されない。該鋼球１４は、前記両軸受け部１１に一つずつ設けられており、支軸２の外周面に形成された前記溝２２と凹凸係合可能である。従って、アーム３が支軸２と一体となって回動する際、鋼球１４が溝２２に凹凸係合すると、アーム３はその回動位置に位置決めされる。この回動位置にアーム３を保持する保持力は、鋼球１４の係合深さやコイルバネ１３のバネ力等により設定されるが、何れにしても、アーム３に所定値以上のトルクが作用するまではその回動位置にアーム３は保持される。また、アーム３を回動操作する際、アーム３が所定の回動位置に来ると鋼球１４が溝２２に凹凸係合するため、良好なクリック感が得られて所定の回動位置まで操作したことを触感により容易に把握することができる。
【００１８】
より詳細には、図３に示すように、支軸２の外周面には複数の溝２２が形成されている。即ち、アーム３を扉Ａの内面Ａ１に略沿った状態（寝かした状態）とした通常位置（図３（イ））と、アーム３を通常位置から略９０度回動させて起立させた状態のガード位置（図３（ハ））と、通常位置とガード位置の中間に位置する中間位置（図３（ロ））の合計三つの回動位置にアーム３を保持することができる構成とされている。そのためには、支軸２の外周面には溝２２を三本並設すればよいが、本実施形態では、その三本の溝２２を一組として略１８０度対向した位置に合計二組設けられている。これは、この溝２２を利用して支軸２とアーム３とを一体にする構成ゆえに、略１８０度対向した位置に合計二組設けることにより、上述したような組み立て時において支軸２とアーム３とを容易に一体にすることができるという作業上の利点があるからである。従って、図３のように組み立て後において二組のうちの一方の組の溝２２（三本）には鋼球１４は係合しない。尚、図１（イ）及び図５は、アーム３が通常位置に位置している。
【００１９】
また、支軸２ではなくアーム３に鋼球１４を凹凸係合させてアーム３を所定の回動位置に保持する構成ではなく、支軸２を鋼球１４で付勢しつつ凹凸係合させる構成であるため耐久性に優れている。即ち、後述するようにアーム３は複雑な形状であるため一般にはダイカスト品とされ、コスト等の関係から特に亜鉛ダイカスト製であることが多い。そのため、相対的に硬度の大きい鋼球１４との繰り返しの接触によりアーム３の摩耗が生じる。これに対して、支軸２は鋼球１４と同様に鋼製とされるため、摩耗が生じにくく耐久性に優れるのである。
【００２０】
更に、耐久性に関しては、支軸２を一本としてその両端部を支持する両持ち構造としていることも大きく寄与している。即ち、両軸受け部１１に各々支軸２を設けて略Ｕ字状のアーム３の両腕部を各々軸支する構成とすることも可能であるが、本実施形態のように支軸２を一本として両端支持とすることにより、支軸２がコイルバネ１３による付勢によって傾斜してこじれるということもなく、耐久性が向上される。
【００２１】
また、支軸２の両端部を回転可能に支持する軸受け部１１に鋼球１４を内蔵させて、その支持部分を付勢するので、鋼球１４につけるグリースが外部に露出することもない。更に、鋼球１４は上側若しくは下側に片方のみ設けることも可能であるが、本実施形態のように上下両軸受け部１１に各々鋼球１４を内蔵することにより、同じクリック感や保持力を得る場合において鋼球１４一つあたりの負担が少なく付勢力も小さくて済むため耐久性が向上する。よって鋼球１４の数は三つ以上であっても無論よい。
【００２２】
尚、鋼球１４とコイルバネ１３が挿入される孔１５はベース部１０の裏面に開口し、その開口から両者は挿入されるが、その挿入後、ベース部１０の裏面に蓋板１６がカシメ等により固定され、その蓋板１６によって孔１５は塞がれている。尚、図２において、符号１７はカシメ等の固定部を示している。この固定方法についても特には限定されない。
【００２３】
次に、このようなアーム基台１を介して扉Ａに回動可能に取り付けられるアーム３は、上述したような略Ｕ字状のものではなく、全体としては一本形状のものであり、機能的には次のような構成要素を備えている。即ち、その基端部には、支軸２が挿入される前記貫通孔を有して両軸受け部１１間に挿入される筒状部３１を有している。そして、ガード位置へのセット後に開扉した際に前記アーム係止具４により係止される部分であって、アーム基端側からアーム先端側へと直線的に伸びる被係止片部３２を有している。また、該被係止片部３２と前記筒状部３１とを連結する連結部３３を有している。更には、所定角度以上の開扉を阻止するために、アーム先端側に設けられてアーム係止具４が当接するストッパ部３４を有している。尚、アーム３は、ダイカスト品であってコスト面から特に亜鉛ダイカスト製とすることが好ましいが、材質等については特に限定されない。
【００２４】
まず、被係止片部３２は、平面的に見て一直線状に形成されているが、支軸２からはオフセットした位置にあって、図６のようにアーム３をガード位置にセットした状態においては、支軸２よりも扉枠Ｂ側、即ち、アーム係止具４側に位置ずれしている。該被係止片部３２は、幅略一定の帯状部材をその左右両側部が上下に位置するように立設させたような形状であって、前記筒状部３１からは離間している。また、図６に示すようなガード位置において、被係止片部３２の基端部３２ａ（係止開始部）の扉Ａ側（開扉の方向）にアーム係止具４が位置する。そして、その状態から開扉すると、後述するアーム係止具４における上下両係止爪４１の外側（扉Ａを内側とした場合の扉枠Ｂ側）に被係止片部３２が位置する。
【００２５】
その一方、被係止片部３２はアーム先端まで達し、その被係止片部３２の先端部３２ｂに前記ストッパ部３４が一体的に形成されている。該ストッパ部３４は、被係止片部３２の先端部３２ｂから側方に延設されており、所定角度まで開扉した際に、前記上下両係止爪４１がストッパ部３４に当接し、それ以上のアーム３とアーム係止具４との相対移動が阻止される。
【００２６】
また、上述の如く、被係止片部３２は筒状部３１から離間しているため、筒状部３１と被係止片部３２とを連結する連結部３３が設けられている。該連結部３３は、被係止片部３２と略平行に且つガード位置において被係止片部３２の内側に対峙するように立設された板状の縦壁部３５と、該縦壁部３５と被係止片部３２の上下方向略中央部分同士を、縦壁部３５と被係止片部３２との間において略水平に連結する横壁部３６とを有している。従って、アーム先端側は、被係止片部３２と縦壁部３５と横壁部３６とから、図１（ロ）の如く、全体として略Ｈ字状に形成される。また、横壁部３６を境にしてその上側と下側には、それぞれ被係止片部３２と縦壁部３５とによって区画された幅略一定の直線状の通路が形成され、扉Ａの開閉動作に応じて、その上下の通路をアーム係止具４の両係止爪４１が各々相対的に走行する。
【００２７】
縦壁部３５は、筒状部３１の外周面とストッパ部３４とを連結するように一直線状に伸びていて、図６に示すように、ガード位置においてはアーム係止具４の内側に位置する。また、横壁部３６は、被係止片部３２の全長に亘って設けられているが、その筒状部３１側の基端部３６ａは、ガード位置（且つ閉扉時）においては、被係止片部３２と同様にアーム係止具４よりも扉Ａとは反対側（閉扉の方向）に位置している。このように、閉扉時のガード位置において、縦壁部３５と横壁部３６は共にアーム係止具４とは平面的に上下に重合しないように構成されている。即ち、縦壁部３５と横壁部３６を有する連結部３３は、アーム係止具４と上下に重合しないようにアーム係止具４を回避、迂回するように形状設定されている。
【００２８】
尚、縦壁部３５の横壁部３６が設けられている側とは反対側の面には、リブ３７が設けられている。
【００２９】
次に、アーム３を係止するためのアーム係止具４について説明する。
本実施形態においてアーム係止具４は一つの部材から構成されていて、図４に示すように、扉枠Ｂに取り付けるためにネジ止め用の取付孔４２が形成された略板状のベース部４３と、該ベース部４３の表面側に突設された上下一対の係止突起４４とを有している。尚、取付孔４２は合計三箇所形成されているが、そのうち、中央の取付孔４２ｂは両係止突起４４の間に位置している。従って、図４（ロ）に二点鎖線にて示すようにアーム３がガード位置に位置すると、中央の取付孔４２ｂの前方にはアーム３が位置するため、その状態では中央の取付孔４２ｂからネジ１０１を工具等によって外すことができない。
【００３０】
また、アーム係止具４には、アーム３の被係止片部３２を係止してアーム３の通常位置への復帰を阻止するための係止爪４１が設けられている。該係止爪４１は、上下一対設けられていて、その先端は上側若しくは下側を向いている。具体的には、上側の係止爪４１は、上側の係止突起４４の先端から下方に向けて突設されていてその先端は下側を向いている。逆に、下側の係止爪４１は、下側の係止突起４４の先端から上方に向けて突設されていてその先端は上側を向いている。両係止爪４１は左右方向に位置ずれして設けられていてもよいが、本実施形態においては、左右に位置ずれすることなく互いに向かい合うように形成されている。そして、両係止爪４１によって、図４（ロ）のように、被係止片部３２を上下両側から係止する。
【００３１】
本実施形態におけるドアガードは以上のような構成からなり、図５乃至図７に示しているように、アーム係止具４は、その係止突起４４が扉枠Ｂから扉Ａ側（扉Ａの回転中心側）に向けて突出するようにして扉枠Ｂにネジ止めされ、アーム基台１はアーム係止具４に対応した扉Ａの内面Ａ１の所定位置にネジ止めされる。尚、図５は、閉扉時且つアーム３が通常位置にある状態を示し、図６は、閉扉時且つアーム３を通常位置から所定角度起立させたガード位置にある状態を示し、また、図７は、図６の状態から所定角度開扉した状態を示している。
【００３２】
尚、図５に示す通常位置並びに図６に示すガード位置にあっては、鋼球１４が支軸２の溝２２に係合しているため、アーム３は所定値を超えるトルクを受けるまでその位置に保持される。
【００３３】
そして、図６に示すガード位置においては、アーム３とアーム係止具４とは上下に重合しない。従って、この状態で仮に地震等が発生して扉Ａと扉枠Ｂとが上下に位置ずれしても、アーム係止具４とアーム３は、互いに噛み合うことがなく、扉Ａと扉枠Ｂの位置変化に応じて上下に位置ずれすることができる。即ち、両者が重合していないので、上下のズレ許容量は従来の耐震型のものに比して極めて大きく、従って、耐震性能が従来に比して飛躍的に向上する。しかも、従来の耐震型のようにアーム形状を大型化したり、アーム係止具４の係止突起４４を可動タイプにしたりすることが不要となるので、ドアガードのコンパクト化と構造簡素化が容易である。
【００３４】
そして、図６に示すガード位置から開扉すると、その開扉動作によって初めてアーム３とアーム係止具４とが上下に重合する。具体的には、上下両係止爪４１間にアーム３の横壁部３６が位置すると共に係止爪４１の外側に被係止片部３２が位置する。その後、開扉動作に応じて係止爪４１はアーム３の上下の通路をアーム先端側に向けて相対移動するが、係止爪４１が被係止片部３２の内側に位置して被係止片部３２を上下双方から係止し、これによりアーム３の戻り回動が阻止される。そして、図７に示すように所定角度まで開扉すると、係止爪４１がストッパ部３４に当接し、それにより、それ以上の開扉が阻止され、不審者の室内への侵入が防止される。
【００３５】
尚、本実施形態では、アーム３に縦壁部３５を設けて断面視略Ｈ字状に形成していたが、図８乃至図１０のように、縦壁部３５を全面的にあるいは部分的に省略して、横壁部３６と被係止片部３２とから断面視略横向きＴ字状に形成してもよい。また、横壁部３６についても種々の形状が可能であり、必ずしも被係止片部３２の全長に亘って設けなくてもよい。例えば、被係止片部３２の基端部３２ａと筒状部３１との間を架橋する如く横壁部３６を設けてもよい。但し、被係止片部３２の略全長に亘って横壁部３６を設けると、その横壁部３６がリブとして機能するため強度面から好ましい。このように、被係止片部３２と筒状部３１とを連結する連結部３３の構成は適宜設計変更可能であるが、何れにしても、図６や図８に示すようなガード位置において、アーム係止具４と上下に重合しないように連結部３３はアーム係止具４を扉Ａの開閉中心軸側に回避するように形状設定する。
また、被係止片部３２を上述したようにオフセットするのではなく、その延長線上に支軸２が位置する構成であってもよく、要はガード位置においてアーム３がアーム係止具４に上下に重合しないように構成されればよい。
【００３６】
尚、アーム係止具４についても種々の変更が可能であって、係止爪４１を係止突起４４とは別部材のピン等から構成するなどしてもよい。また、アーム係止具４を複数の部材の組み合わせから構成してもよい。
【００３７】
また、アーム３とアーム係止具４の係止爪４１の構成を逆にすることもできる。即ち、図１１のように、係止突起４４の先端に上下に各々係止爪４１を突設し、該上下両係止爪４１にそれぞれ係止されるように上下一対の被係止片部３２をアーム３に設けて、該両被係止片部３２間に前記係止突起４４が位置するような構成としてもよい。図１１の場合、縦壁部３５の上下両端部にそれぞれ被係止片部３２まで達する横壁部３６を設けているので、アーム３の連結部３３は縦壁部３５と上下両横壁部３６とから断面視略コの字状に形成されるが、閉扉時にアーム３をガード位置にセットした際、連結部３３、特にその横壁部３６がアーム係止具４の係止突起４４と上下に重合しないように、図６や図８に示したのと同様に横壁部３６は筒状部３１まで設けないようにする必要があり、また、縦壁部３５も係止突起４４を内側に回避するようにして筒状部３１に到達させる。
【００３８】
また、アーム３を全体として一本形状に形成するのではなく図１２のように略Ｕ字状に形成して上下一対の被係止部３２を設けてもよい。即ち、上下方向略中央に長手方向に沿って形成されたスリット６０の上下両側に被係止部３２が形成され、開扉時にはスリット６０内を係止突起４４が相対移動する。尚、アーム３の折曲側が先端側、開口側が基端側となっているが、その基端側における上下一対の筒状部３１が上下の支軸２にそれぞれ軸支されている。また、連結部としての横壁部３６も上下一対設けられるが、図１３に二点鎖線にて示しているように、ガード位置において両横壁部３６がアーム係止具４と上下に重合しないように、アーム係止具４を回避、迂回するように両横壁部３６は形状設定されている。更に、通常位置（図１３に実線で示す）とガード位置（図１３に二点鎖線で示す）のそれぞれにアーム３を保持すべく、鋼球１４が係合する溝５０をアーム３の筒状部３１の外周面に通常位置とガード位置の双方に対応して形成している。
【００３９】
また更に、アーム係止具４に係止爪４１を上下一対設けているが、下側若しくは上側にのみ係止爪４１を設けてもよい。
【００４０】
また、アーム３のガード位置は上述したような扉Ａの内面Ａ１に対して略直交する位置でなくてもよい。
更に、アーム係止具４も、扉枠Ｂの室内側に面した部分（図５の符号Ｂ１）に取り付けたりしてもよく、また、扉枠Ｂではなく建物の他の固定部材に取り付けてもよい。何れにしても、係止突起４４が扉Ａ側（扉Ａの開閉中心側）に向けて突出するようにアーム係止具４は取り付けられる。
【００４１】
尚、係止爪４１がストッパ部３４に当接する構成について説明したが、係止爪４１が当接せずに係止突起４４が当接してもよく、アーム係止具４の何れかの部位が当接すればよい。また、ストッパ部３４をアーム３の先端部以外の部位に設けてもよい。
【００４２】
更に、上記実施形態では、扉Ａ側にアーム３を、扉枠Ｂ側にアーム係止具４をそれぞれ取り付けたが、逆に、扉枠Ｂ等の建物の固定部材側にアーム３を取り付け、扉Ａ側にアーム係止具４を取り付けるような構成であってもよい。
【図面の簡単な説明】
【００４３】
【図１】本発明の一実施形態におけるドアガードのアーム側を示し、（イ）は正面図、（ロ）は（イ）のＰ−Ｐ線断面図であってアームのみを示した図。
【図２】（イ）は図１（イ）のＱ−Ｑ断面図、（ロ）はアーム基台を裏面側から見た図。
【図３】図２（イ）のＲ−Ｒ線断面図であって、（イ）はアームが通常位置にあるときを示し、（ロ）はアームが中間位置にあるときを示し、（ハ）はアームがガード位置にあるときを示す。
【図４】同ドアガードのアーム係止具を示し、（イ）は正面図、（ロ）は（イ）のＳ−Ｓ断面図。
【図５】同ドアガードの使用状態を示す平面図であって閉扉時にアームが通常位置にある状態を示す図。
【図６】同ドアガードの使用状態を示す平面図であって閉扉時にアームがガード位置にある状態を示す図。
【図７】同ドアガードの使用状態を示す平面図であって図６の状態から所定角度開扉した状態を示す図。
【図８】他の実施形態におけるドアガードの使用状態を示す図６に対応した平面図。
【図９】同実施形態におけるドアガードの使用状態を示す図７に対応した平面図。
【図１０】同実施形態におけるドアガードの使用状態を示す要部縦断面図。
【図１１】他の実施形態におけるドアガードの使用状態を示す図１０に対応した要部縦断面図。
【図１２】他の実施形態におけるドアガードの使用状態を示す正面図。
【図１３】同ドアガードの使用状態を示す平面図。
【符号の説明】
【００４４】
１…アーム基台、２…支軸、３…アーム、４…アーム係止具、１０…ベース部、１１…軸受け部、１２…取付孔、１３…コイルバネ、１４…鋼球、１５…孔、１６…蓋板、１７…固定部、２１…ヘッド部、２２…溝、２３…止め輪（Ｅ型止め輪）、３１…筒状部、３２…被係止片部、３３…連結部、３４…ストッパ部、３５…縦壁部、３６…横壁部、３７…リブ、４１…係止爪、４２…取付孔、４３…ベース部、４４…係止突起、５０…溝、６０…スリット、１００，１０１…ネジ、Ａ…扉、Ｂ…扉枠
【図１】
2004278296.tif 000003
【図２】
2004278296.tif 000004
【図３】
2004278296.tif 000005
【図４】
2004278296.tif 000006
【図５】
2004278296.tif 000007
【図６】
2004278296.tif 000008
【図７】
2004278296.tif 000009
【図８】
2004278296.tif 000010
【図９】
2004278296.tif 000011
【図１０】
2004278296.tif 000012
【図１１】
2004278296.tif 000013
【図１２】
2004278296.tif 000014
【図１３】
2004278296.tif 000015